(57)【要約】【課題】  育児用または介護用として、いずれの用途にも使用でき、かつ、日々の乳幼児または被介護者の状態を必要な範囲で記録し得る日記帳を提供する。【解決手段】  複数のページを有する育児用または介護用日記帳であって、各ページの全部または一部に生活リズム記入領域Ｂを設け、この生活リズム記入領域は、２４個に分割表示されてなる記入升Ｆで構成されてなることを特徴とする。記入升Ｆは、１行分の時間割枠Ｃと２行分の記入枠Ｄとで構成され、時間割枠には、１から２４の数字が記入されている。【選択図】  図１
2007069550.tif 000002
【特許請求の範囲】
【請求項１】
複数のページを有する育児用または介護用日記帳であって、各ページの全部または一部に生活リズム記入領域を設け、この生活リズム記入領域は、２４個に分割表示されてなる記入升で構成されてなることを特徴とする育児用または介護用日記帳。
【請求項２】
複数のページを有する育児用または介護用日記帳であって、各ページは、均等な幅の横書き用罫線が設けられるとともに、該各ページの全部又は一部に生活リズム記入領域を設け、この生活リズム記入領域は、上記罫線により構成された記入行の３行分を単位として使用しつつ２４個に分割表示されてなる記入升で構成され、かつ、該記入升は、１行分の時間割枠と２行分の記入枠とで構成され、該時間割枠には、１から２４の数字が記入されてなることを特徴とする育児用または介護用日記帳。
【請求項３】
複数のページを有する育児用または介護用日記帳であって、各ページは、均等な幅の横書き用罫線が設けられるとともに、該各ページの全部又は一部に生活リズム記入領域を設け、この生活リズム記入領域は、上記罫線により構成された記入行の１２行分を３行ずつ４分割してなる横方向分割線と、上記１２行分の各行を均等に６分割してなる縦方向分割線とを備え、上記横方向分割線および縦方向分割線により形成される個々の記入升は、１行分の時間割枠と２行分の記入枠とで構成され、該時間割枠には１から２４の数字が記入されてなることを特徴とする育児用または介護用日記帳。
【請求項４】
前記時間割枠は、上欄左端の時間割枠に１が記入されるとともに、右に向かって連続する数字が記入され、上欄右端に連続する数字が次順位の欄の左端に記入されるとともに、右に向かって連続する数字が記入されてなり、最下欄右端の時間割枠に２４が記入されてなることを特徴とする請求項２または３に記載の育児用または介護用日記帳。
【請求項５】
前記ページは、生活リズム記入領域を除く部分を余白領域とし、この余白領域に剥離紙で被覆された粘着剤を適宜間隔で設けてなることを特徴とする請求項１ないし４のいずれかに記載の育児用または介護用日記帳。
【発明の詳細な説明】
【技術分野】
【０００１】
本発明は、育児用または介護用日記帳に関するものである。
【背景技術】
【０００２】
従来の育児用日記帳は、通年または１３ヶ月分の月間日割表と月齢ごとの育児情報表示・記録欄とを各月ごとに順次見開き２頁に配設するカレンダーと、このカレンダーにおける日割表または育児情報表示・記録欄にシールを設けたものであった（特許文献１参照）。他方、介護用日記帳にあっては、１日分の時間割欄が縦軸に設けられ、この時間割欄の横に「本日の記録」欄、「介護者」欄、「食事と介助」欄、「水分」欄、「排泄」欄および「清潔」欄がそれぞれ併設されたものがあった（特許文献２参照）。
【特許文献１】実公平４−１５５１０号公報（１頁、第３図・第４図）
【特許文献２】特開２００４−１２２４４６号公報（５頁−６頁、図１）
【発明の開示】
【発明が解決しようとする課題】
【０００３】
しかしながら、上述した従来の育児用日記帳は、各月ごとに日割表が設けられ、この日割表の所定欄に、予め用意されたシールを貼着することによって、それらの予定が日割表に表示できるものであるが、１ヶ月を単位とするものであることから、日々の成長記録や、乳幼児に対する授乳記録などを詳細に記入することができなかった。
【０００４】
他方、従来の介護用日記帳にあっては、複数の介護者が交互に被介護者を介護する際の連絡用に使用することを前提とすることから、日々の記載事項が膨大なものであり、単独の介護者が、被介護者の状態をメモする程度に使用する場合には、不必要な事項が多く、非常に使い勝手の悪いものとなっていた。
【０００５】
そして、上記両者は、育児用日記帳を介護用に使用することはできず、また、介護用日記帳を育児用に使用することはできず、両者を兼用するものではなかった。
【０００６】
本発明は、上記諸点にかんがみてなされたものであって、その目的とするところは、育児用または介護用として、いずれの用途にも使用でき、かつ、日々の乳幼児または被介護者の状態を必要な範囲で記録し得る日記帳を提供することである。
【課題を解決するための手段】
【０００７】
そこで、本発明は、複数のページを有する育児用または介護用日記帳であって、各ページの全部または一部に生活リズム記入領域を設け、この生活リズム記入領域は、２４個に分割表示されてなる記入升で構成されてなることを特徴とする育児用または介護用日記帳を要旨とする。
【０００８】
上記構成によれば、生活リズム記入領域において２４個に分割された記入升に必要な事項のみを記入すればよく、この記入升は、文字を記入することのほかに、予め決めた色の色彩を付すことにより、２４時間分の乳幼児または被介護者の生活リズムを記録することが可能となる。
【０００９】
また、本発明は、複数のページを有する育児用または介護用日記帳であって、各ページは、均等な幅の横書き用罫線が設けられるとともに、該各ページの全部又は一部に生活リズム記入領域を設け、この生活リズム記入領域は、上記罫線により構成された記入行の３行分を単位として使用しつつ２４個に分割表示されてなる記入升で構成され、かつ、該記入升は、１行分の時間割枠と２行分の記入枠とで構成され、該時間割枠には、１から２４の数字が記入されてなることを特徴とする育児用または介護用日記帳をも要旨としている。
【００１０】
上記構成によれば、記入升の時間割枠に表示される数字に応じて、すなわち、１から２４の数字は１時から２４時を意味するものとして、該当する時刻に乳幼児または被介護者がどのような状態であったかを記入枠に記入することが可能となる。そして、記入枠は、２行分が充てられているため、上位の行を前半の３０分とし、下位の行を後半の３０分として使用すれば、概略の時刻を示しつつ乳幼児または被介護者の状態を記録することができる。
【００１１】
さらに、本発明は、複数のページを有する育児用または介護用日記帳であって、各ページは、均等な幅の横書き用罫線が設けられるとともに、該各ページの全部又は一部に生活リズム記入領域を設け、この生活リズム記入領域は、上記罫線により構成された記入行の１２行分を３行ずつ４分割してなる横方向分割線と、上記１２行分の各行を均等に６分割してなる縦方向分割線とを備え、上記横方向分割線および縦方向分割線により形成される個々の記入升は、１行分の時間割枠と２行分の記入枠とで構成され、該時間割枠には１から２４の数字が記入されてなることを特徴とする育児用または介護用日記帳を要旨としている。
【００１２】
上記構成によれば、６時間ずつ４列に分けて乳幼児または被介護者の状態と記録できることとなる。すなわち、深夜から早朝までが１列目に、午前中が２列目に、午後が３列目に、そして、夕方から深夜までが４列目に記録されることとなるから、一般的に活動時間帯は、中央２列に記録され、就寝時間帯は先頭および後尾の両列に記録されることとなり、記載事項の多い日中の出来事は、夜間の枠にはみ出して記載したとしても、生活リズム記入領域内に収まることとなる。
【００１３】
上記各発明において、記入升を構成する時間割枠には、１から２４の数字が記入されるものであるが、この時間割枠は、上欄左端の時間割枠に１が記入されるとともに、右に向かって連続する数字が記入され、上欄右端に連続する数字が次順位の欄の左端に記入されるとともに、右に向かって連続する数字が記入されてなり、最下欄右端の時間割枠に２４が記入されてなる構成とすることができる。
【００１４】
上記構成によれば、生活リズム記入領域の左上から右下に向かって連続して乳幼児または被介護者の状態を記入できることとなる。この場合、時間軸は左から右へ、かつ、上から下へ進行することとなるため、特定の時間における乳幼児または被介護者の状態を確認する場合に、当該特定時を容易に発見できることとなる。また、記入枠のために２行分を充てる構成の場合には、個々の記入枠についても、１時間分の当該記入枠を左上から右下に向かって、二列に連続させつつ記入できることとなり、時間軸の把握の仕方が容易となる。
【００１５】
また、上記各発明において、各ページの生活リズム記入領域を除く部分を余白領域とし、この余白領域に剥離紙で被覆された粘着剤を適宜間隔で設けてなる構成とすることができる。この場合、余白領域は、生活リズム記入領域に記入できない事項またはメモ書き程度の事項を記入することができるほかに、粘着剤を使用して写真等を貼着することもできる。粘着剤の表面には剥離紙が設けられているため、この剥離紙を取り除かなければ粘着効果が発揮されず、当該粘着剤が設けられている個所を避けつつ上述の記入をすることができ、写真等を貼着する場合にのみ、適宜個所の剥離紙を取り除いて粘着剤により写真等を貼付することができるのである。
【発明の効果】
【００１６】
本発明によれば、各ページに構成される生活リズム記入領域には、２４個に分割された記入升が設けられているため、１日分の乳幼児または被介護者の状態を１時間ごとに記録・管理できることとなり、育児用として使用する場合には、各記入升にはミルクの時間や、おしめ交換の時間などを記入することができ、介護用として使用する場合は、食事の時間や排泄の時間などを記入することができ、いずれの場合にも兼用し得る。また、病気療養中の介護用として使用する場合には、投薬時間や体温測定時刻なども記録できることとなる。
【００１７】
そして、生活リズム記入領域は、基礎的な生活リズムの要素を記入するものであることから、育児期間中または介護期間中に規則的に繰り返される要素のみを記入することとなることから、予め利用者が決定した色彩を該当する時間に付すことにより、文字による記入をすることなく乳幼児または被介護者の生活リズムを記入することが可能となる。なお、この場合、各ページの余白領域に必要事項を記入することによって、特別な事項を記録でき、さらに、写真撮影によることが効率的な場合は、その写真を余白部分に貼付することで克明な記録帳を作成することができる。
【発明を実施するための最良の形態】
【００１８】
以下、本発明の実施の形態を図面に基づいて説明する。第一の実施形態は、図１に示すように、各ページの紙面１には、均等な幅の横書き用罫線１０が設けられている。この横書き用罫線１０は、紙面１の大きさおよび間隔によって設けることのできる本数が異なるものであるが、Ａ列５番の大きさの紙面においては、３０本前後の罫線１０を設けることが可能である。そして、これら複数の罫線１０により、複数の記入行１１が構成されるものである。
【００１９】
そこで、本実施形態では、上記罫線１０によって構成された記入行１１を有する紙面１のうち、先頭行から所定の行までの範囲を余白領域Ａとし、末尾の１２行分の記入行１１で構成される範囲を生活リズム記入領域Ｂとしている。余白領域Ａは、罫線１０が設けられているのみであるため、利用者が自由に記入できるスペースとして構成され、育児または介護の対象である乳幼児または被介護者に関する特記事項を記入することができるものである。
【００２０】
他方、生活リズム記入領域Ｂは、記入行１１の３行分を単位として四分割され、当該記入領域Ｂにおける１行目、４行目、７行目および１０行目が時間割枠Ｃ１，Ｃ２，Ｃ３，Ｃ４に充てられており、他の行が記入枠Ｄ１，Ｄ２，Ｄ３，Ｄ４となっている。さらに、上記生活リズム記入領域Ｂを５本の縦方向分割線２１，２２，２３，２４，２５によって六つの列Ｅ１，Ｅ２，Ｅ３，Ｅ４，Ｅ５，Ｅ６に分割され、上記生活リズム記入領域Ｂの全体を２４個に分割してなる記入升Ｆを構成している。分割された個々の記入升Ｆは、時間記入部ＣＥを上欄に空欄部ＤＥを下欄に配置しつつ一体化された升目状に形成されている。
【００２１】
なお、上記縦方向分割線２１〜２５は、横書き用罫線１０と同じ線種で設ける場合もあるが、分割線であることを明確にするため太線により構成することができる。これと同様に、時間割枠Ｃ１〜Ｃ４を構成する線のうち、少なくとも上位の線を横方向分割線３１，３２，３３，３４として、罫線１０とは異なる線種で構成することにより、記入枠Ｆの形成を明確にすることも可能である。さらに、時間割枠Ｃ１〜Ｃ４を記入枠Ｄ１〜Ｄ４と区別するために、当該時間割枠Ｃ１〜Ｃ４の上下の線を同様とするものであってもよい。
【００２２】
上記により形成される２４個の時間記入部ＣＥには、「１」から「２４」の数字が記入され、これらは１時から２４時を意味するようになっている。この時間記入部ＣＥには、先頭行の時間割枠Ｃ１に「１」から「６」が、次順位の時間割枠Ｃ２に「７」から「１２」が、第三番目の時間割枠Ｃ３に「１３」から「１８」が、最終の時間割枠Ｃ４に「１９」から「２４」が、それぞれ左端の列Ｅ１から右端の列Ｅ６に向かって順次数字を大きくして記入されており、先頭左端枠Ｃ１Ｅ１から最終右端枠Ｃ４Ｅ６に向かって時間軸が進行するように配列されている。
【００２３】
ここで、２４個に分割された記入升Ｆの詳細について説明する。記入升Ｆは、図２に示すように、時間割枠Ｃ１〜Ｃ４を縦方向分割線２１〜２５で分割した時間記入部ＣＥと、記入枠Ｄ１〜Ｄ４を縦方向分割線２１〜２５で分割した空欄部ＤＥとで構成されるものである。また、記入枠Ｄ１〜Ｄ４は２行分の記入行で構成されているため、空欄部ＤＥは、中央に一本の横書き用罫線１２が存在し、その結果、二升の記入可能行１３，１４を構成している。従って、記入升Ｆを１時間単位で割り振ることにより、上記空欄部ＤＥには、１時間分の記入が許容されることとなり、当該空欄部ＤＥの１行目の記入可能行１３を前半の３０分、２行目の記入可能行１４を後半の３０分として、いずれも左から右に向かって時間軸を進行させることによって、生活リズム記入領域Ｂの全体と同様の時間軸を観念することが可能となっている。さらに、図示のように、上記罫線１２を二等分にしつつ直交する仮想の中央線（図中一点鎖線）２６を利用者が観念することにより、両記入可能行１３，１４は、それぞれ１／４時間（１５分）に分割された記入スペースとして確保されることとなる。
【００２４】
次に、本実施形態の使用態様について説明する。図３に示すように、１日当たり１ページの紙面１を使用して、日々の乳幼児または被介護者の生活リズムを記録するものである。生活リズム記入領域Ｂの記入枠Ｄ１〜Ｄ４には、乳幼児または被介護者が睡眠していた時間に相当する範囲に色彩（図中ハッチング部分）を付し、乳幼児または被介護者の食事等の時刻については、記入枠Ｄ１〜Ｄ４のうち、該当する位置にその旨を記入するものである。
【００２５】
上記のような使用形態により、就寝時刻および起床時刻を容易に知ることができるのみならず、睡眠時間の総合計をも容易に知ることができることとなる。すなわち、睡眠時間は、記入枠Ｄ１〜Ｄ４に付された色彩の面積によって把握されるため、当該ページの細部を見ることなく上記色彩の総面積を概略比較することで、睡眠時間の長短を把握することができるのである。また、上記のように、活動時間帯（非睡眠時間帯）における種々の行動等を時間割枠Ｃ１〜Ｃ４の時間表示とともに記入されることから、日々繰り返される食事や排泄などの生活リズムを容易に把握できる。また、個々の食事や排泄についても、文字を記入するという使用形態のほかに、それぞれに要した時間に相当する部分を、異なる色彩を付すことにより、全体として色分けされた各ページを比較することにより、生活リズムを把握できるものである。
【００２６】
特に、乳幼児の記録に使用する場合には、睡眠のリズムが将来的な体内時計の形成に大きく影響を与えることがあるという研究報告がなされているが、睡眠時間の総計のみならず、就寝時刻および起床時刻が日々変化することを容易に把握できることによって、乳幼児の睡眠時間を保護者が意識的に調整することが可能となり、乳幼児における正確な体内時計を形成させ得るという効果をも有することとなる。また、日々の生活を目視できない父親などにおいても、色分けされた１日分の生活リズム記入領域Ｂを一瞥することにより、乳幼児の生活リズムの変化を知ることができ、両親が共通した認識を享有できることとなる。そして、日々の子育てに疲れた母親に代わって、乳幼児の生活リズムを父親が確認することによって、乳幼児の異変を察知することも可能となり、乳幼児の病気等を未然に発見し得ることになり得る。
【００２７】
他方、余白領域Ａは、第１行目に年月日を記載することで、いつの記録であるかを表示し、さらに、関心事をメモ書きすることで、予め多数の項目が用意された記録帳のような記入の手間を割愛するのである。つまり、余白領域Ａは、利用者が自由に使用できる欄として構成されており、図示のように、乳幼児の成長記録として写真を貼付することもできる。また、介護用日記帳として記録する場合は、被介護者の患部の状態や顔色の変化など、特に、老人介護の場合には褥そう（いわゆる床ずれ）などを撮影した写真を貼付することも可能である。
【００２８】
本実施形態の使用態様の一例は上記のとおりであるが、その他種々の使用態様とすることができる。例えば、図４（ａ）に示すように、睡眠時間のみを時間割枠Ｃ１〜Ｃ４に色彩（図中ハッチング）を付し、記入枠Ｄ１〜Ｄ４は、睡眠時間帯および活動時間帯の双方における記載事項を記述することができる。この種の使用態様においては、睡眠時間を記録する欄が１行分の時間割枠Ｃ１〜Ｃ４に表示されるため、棒グラフと同様に把握することができ、また、介護記録とする場合などにおいては、睡眠時間中における投薬記録などを併記することができる。さらには、図４（ｂ）に示すように、時間割枠Ｃ１〜Ｃ４に表示する睡眠時間について、当該時間割枠Ｃ１〜Ｃ４に記載される１から２４の数字を「１時間」から「２４時間」として把握することにより、その日の睡眠時間を単純に連続して表示することができる。このような表示による場合には、睡眠時間の総合計が時間割枠Ｃ１〜Ｃ４に表示されることとなり、正に睡眠時間を棒グラフ化することとなる。
【００２９】
次に、第二の実施形態について説明する。この実施形態は、図５に示すように、記入升Ｆの空欄部ＤＥを縦横の罫線１２，２６を予め中央に設け、１５分に相当する各小区分を構成させたものである。前記第一の実施形態では、縦罫線２６の有無は必須のものではなく、利用者が中央線２６の存在を観念することにより３０分を分割して利用できるというものであったが、本実施形態では、これを予め分割したものである。従って、各枠および欄の有する機能は第一実施形態と同様であり、また、使用形態についても第一の実施形態と同様である。
【００３０】
さらに、第三の実施形態について説明すれば、図６に示すように、記入升Ｆの空欄部ＤＥを１行分で構成し、各記入升Ｆを横長に構成したものである。本実施形態においては、時間記入部ＣＥは、第一実施形態と同様に「１」から「２４」の数字が付されるものであるが、空欄部ＤＥは、その長さ相当が１時間分の余白であることになり、１／２が３０分であり、１／４が１５分に相当するものである。このような構成により、長時間継続する睡眠などの記録において、該当部分に色彩を付した場合には、棒グラフのように色彩を付した棒状部分の長さをもって単純に長短を判断できることとなる。なお、空欄部ＤＥを横長に構成したのは、文字を記入する場合を考慮したものであり、この横長の構成により、生活リズム記入領域Ｂを第一実施形態と比較する場合、使用する行数は増加するが、列の数が減少することとなる。
【００３１】
次に、第四の実施形態について説明する。本実施形態は、図７に示すように、余白領域Ａに粘着剤３１，３２，３３，３４を設けた構成である。この粘着剤３１〜３４は、写真Ｇの大きさ（いわゆるＥ版）の四隅に位置する個所に設けられており、粘着剤の表面には剥離紙が設けられている。従って、写真Ｇを貼付する場合には、４個の粘着剤３１〜３４の全ての剥離紙を剥がすことにより、その写真を決まった位置に貼付できる。また、この粘着剤３１〜３４を使用して他の書類を貼付することも可能である。例えば、病院への通院を記録する場合には、病院から交付された使用を貼付することができ、また、簡単な家計簿のような使用方法としては、レシートを貼付することも可能である。そして、育児または介護に要した費用のみを管理する場合には、治療費、ミルク代またはおしめ代などのレシートを貼付することで、一般の家計費と別個に管理することができるものである。なお、本実施形態における生活リズム記入領域Ｂの形態は、第一実施形態または第三実施形態のいずれを採用してもよい。
【００３２】
本発明の実施形態は上記のとおりであるが、本発明の趣旨を逸脱しない範囲において種々の態様をとることができる。例えば、日記帳の表紙裏面は、油性インクを紙で拭き取ることができる樹脂シートを積層してなる構成とし、簡単なメモ書きが可能な構成とすることができる。この場合、育児用日記帳として使用する際、次回の授乳予定時刻をメモすること、または、１週間の簡単な予定表などを記しておくなどに供することができる。
【図面の簡単な説明】
【００３３】
【図１】第一の実施形態を示す説明図である。
【図２】記入升の詳細を示す説明図である。
【図３】第一の実施形態についての使用形態を示す説明図である。
【図４】第一の実施形態における他の使用態様を示す説明図である。
【図５】第二の実施形態を示す説明図である。
【図６】第三の実施形態を示す説明図である。
【図７】第四の実施形態を示す説明図である。
【符号の説明】
【００３４】
１  紙面
１０，１２  横書き用罫線
１１  記入行
１３，１４  余白部
２１，２２，２３，２４，２５  縦方向分割線
２６  中央線
３１，３２，３３，３４  粘着剤
Ａ  余白領域
Ｂ  生活リズム記入領域
Ｃ，Ｃ１，Ｃ２，Ｃ３，Ｃ４  時間割枠
Ｄ，Ｄ１，Ｄ２，Ｄ３，Ｄ４  記入枠
Ｅ，Ｅ１，Ｅ２，Ｅ３，Ｅ４，Ｅ５，Ｅ６  分割列
Ｆ  記入升
Ｇ  写真等
ＣＥ  時間記入部
ＤＥ  空欄部
【図１】
2007069550.tif 000003
【図２】
2007069550.tif 000004
【図３】
2007069550.tif 000005
【図４】
2007069550.tif 000006
【図５】
2007069550.tif 000007
【図６】
2007069550.tif 000008
【図７】
2007069550.tif 000009